(57)【特許請求の範囲】
【請求項１】
ａ．ＣＣＤカメラのレンズ２の前方に位置し、このＣＣＤカメラのレンズ２の光軸ａを中心として回転自在のロータリーリング５を有し、かつ前記レンズ２に装着自在の取付枠１と、
ｂ．前記光軸ａ上において、前記レンズ２の焦点位置に置かれた被写体ｂを周回方向から観察し、この観察した光を前記光軸ａ方向に向けて反射するように前記ロータリーリング５に取り付けられた第１周面反射ミラー７と、
ｃ．前記ロータリーリング５において、前記第１周面反射ミラー７から周方向に９０°離れた位置において前記ロータリーリング５に取り付けられていて、前記光軸ａ方向から水平に入力された光を垂直方向に９０°反射し、この反射した光を光軸ａ方向に向けて９０°反射するＶ字状の反射面１３、１４を有する第２周面反射ミラーと、
ｄ．前記光軸ａ上において、前記被写体ｂからの光を光軸ａ上で受け、この受けた光を前記第２周面反射ミラーの反射面１３方向に反射する反射面１５と、前記第１周面反射ミラー７からの反射光又は前記第２周面反射ミラーの反射面１４からの反射光を光軸ａ上で受けて前記レンズ２の入力方向へ反射する反射面９を有し、前記光軸ａ上に位置するように前記取付枠１に取り付けられた光軸反射ミラーと、
ｅ．からなることを特徴とする超小型近接撮影装置用アダプター。
【発明の詳細な説明】
【技術分野】
【０００１】
本発明は、ＣＣＤカメラと称される超小型近接撮影装置に取り付けて用いられるアダプター関し、更に詳しくは、被観察物体を周面及び垂直方向から観察することができる超小型近接撮影装置用アダプターに関するものである。
【背景技術】
【０００２】
従来の超小型近接撮影装置用アダプターにおいて、被観察物体を垂直面から観察する装置以外に、周面から立体的に観察する装置として、本出願人は特許第３８８４５５８号公報に開示された内容のものを提案している。
【０００３】
しかし、同一の被観察物体を周面と垂直方向から観察したい場合、あるいは一つの被観察物体は周面方向から、別の物体は垂直方向から観察したい場合には、周面観察用アダプターと垂直方向からの観察用アダプターを用意しておき、これを観察のたびごとにカメラに付け換える必要があり、大変面倒であった。
【０００４】
また、周面方向と垂直方向とでそれぞれピントを合わせるためには、アダプターを付け換えた後でレンズの位置（焦点）を調整しなければならず、面倒であると共に、観察倍率が高い場合には被観察物体を見失ってしまうという不具合があった。
【先行技術文献】
【特許文献】
【０００５】
【特許文献１】特許第３８８４５５８号公報
【発明の概要】
【発明が解決しようとする課題】
【０００６】
本発明は上記した課題を解消するのが目的であって、具体的には、被写体をその周囲及び垂直方向から観察する際に、いちいちアダプターを交換したり、この交換した際にいちいちピント合わせを行う必要のない超小型近接撮影装置用アダプターを提供するのが目的である。
【課題を解決するための手段】
【０００７】
上記した課題を解決するため、請求項１に記載の発明は、超小型近接撮影装置用アダプターにおいて、ａ．ＣＣＤカメラのレンズ２の前方に位置し、このＣＣＤカメラのレンズ２の光軸ａを中心として回転自在のロータリーリング５を有し、かつ前記レンズ２に装着自在の取付枠１と、ｂ．前記光軸ａ上において、前記レンズ２の焦点位置に置かれた被写体ｂを周回方向から観察し、この観察した光を前記光軸ａ方向に向けて反射するように前記ロータリーリング５に取り付けられた第１周面反射ミラー７と、ｃ．前記ロータリーリング５において、前記第１周面反射ミラー７から周方向に９０°離れた位置において前記ロータリーリング５に取り付けられていて、前記光軸ａ方向から水平に入力された光を垂直方向に９０°反射し、この反射した光を光軸ａ方向に向けて９０°反射するＶ字状の反射面１３、１４を有する第２周面反射ミラーと、ｄ．前記光軸ａ上において、前記被写体ｂからの光を光軸ａ上で受け、この受けた光を前記第２周面反射ミラーの反射面１３方向に反射する反射面１５と、前記第１周面反射ミラー７からの反射光又は前記第２周面反射ミラーの反射面１４からの反射光を光軸ａ上で受けて前記レンズ２の入力方向へ反射する反射面９を有し、前記光軸ａ上に位置するように前記取付枠１に取り付けられた光軸反射ミラーと、からなることを特徴とするものである。
【発明の効果】
【０００８】
本発明は以上のとおり、一つのアダプターを用いて周面観察と垂直方向からの観察を行うことができるため、従来のようにいちいちカメラの前面に周面と垂直方向用アダプターを付け換えて観察を行う必要がなく、便利である。
【０００９】
また、従来のようにアダプターを交換した際に、ピント調整をいちいち行ったり、高倍率観察の際に被写体を見失わず（Ｘ軸、Ｙ軸）、ピントの調整（Ｚ軸）が不必要となる。
【図面の簡単な説明】
【００１０】
【図１】ＣＣＤカメラの前方に本発明に係るアダプターを取り付けた状態を光軸方向から見た正面図である。
【図２】Ａ−Ａ´線断面図である。
【図３】垂直方向からの観察に切り替えた状態を光軸方向から見た正面図である。
【図４】Ｂ−Ｂ´線断面図である。
【図５】反射ミラーをプリズム化した状態の説明図である。
【発明を実施するための形態】
【００１１】
本発明は、ＣＣＤカメラを用いて行う超小型近接撮影装置に取り付けられて用いられるアダプターであって、被観察物体（以下「被写体」という。）を周面と垂直方向の双方から観察することができる点に特徴がある。
【実施例１】
【００１２】
図１乃至図４に基づいて本発明の実施例１を詳細に説明する。図１は光軸ａ方向（被写体方向）から装置を見た正面図、図２はＡ−Ａ´線断面図であって、１はＣＣＤカメラの前方であって、レンズ２側に取付リング３により取り付けられた取付枠であって、この取付枠１には、ベアリング４を介して光軸ａを中心として回転する反射ミラー取付用ロータリーリング５が組み付けられている。
【００１３】
６は前記ロータリーリング５に対して回転調整自在に取り付けられた周面観察手段における反射ミラー取付枠であって、この取付枠６には光軸ａ方向に向けて調整ねじ８により微調整可能に被写体ｂ（焦点）に向け、かつ光軸ａ方向へ水平に光を反射する周面反射ミラー７が取り付けられている。
【００１４】
９は光軸ａの位置において、前記周面反射ミラー７からの光を受けて光軸ａ方向（ＣＣＤカメラのレンズ２方向）へ光を反射する周面観察手段としての第２光軸反射ミラーであって、この第２光軸反射ミラー９は、前記取付枠１に対してミラーマウント１０を介して取り付けられている。
【００１５】
１１はロータリーリング５に対して取り付けられた反射ミラー取付枠６を回転させることにより、周面と垂直方向からの観察にミラー群を切り替えるときに用いる切り替え手段である。
【００１６】
符号の１２は前記反射ミラー取付枠６に対して前記周面観察手段としての周面反射ミラー７から９０°回転した位置に取り付けられた垂直方向からの観察手段としての第１、第２周面反射ミラーマウントであって、このマウント１２には、図４に示すように、第１光軸反射ミラー１５から来た光を垂直方向に反射する第１周面反射ミラー１３と、この第１周面反射ミラー１３で反射された光を受けて光軸ａ方向に向けて反射する第２周面反射ミラー１４が取り付けられている。
【００１７】
次に、上記した本発明について、被写体ｂの周面観察と垂直方向からの観察を説明する。
【００１８】
周面観察状態は、図１及び図２に示されていて、周面反射ミラー７と光軸反射ミラー９を対向させると被写体ｂからの光は周面反射ミラー７へ入り、ここで光軸反射ミラー９側へ反射し、光軸反射ミラー９からＣＣＤカメラのレンズ２へ入光される。この結果、ロータリーリング５を周回させることにより、被写体ｂの周囲をＣＣＤカメラで観察することができる。
【００１９】
次に垂直方向からの観察を行う場合には、図３に示すように取付枠６を図１の状態から左方向に９０°回転させて前記第１光軸反射ミラー１５及び光軸反射ミラー９に第１、第２周面反射ミラー１３、１４を対向させる。このように反射ミラーを切り替えることにより、被写体ｂからの光は、第１光軸反射ミラー１５で第１周面反射ミラー１３側へ反射し、この第１周面反射ミラー１３で反射された光は垂直方向へ反射して第２周面反射ミラー１４で光軸ａの方向へ反射して光軸反射ミラー９で光軸ａ方向へ反射してＣＣＤカメラへ入力される。この結果、周面観察と垂直方向からの観察に際し、観察位置及びピントを動かさずに観察を行うことができる。
なお、図５は、実施例１の第１光軸反射ミラー１５及び光軸反射ミラー９をプリズム２０で一体化し、第１周面反射ミラー１３と第２周面反射ミラー１４をプリズム２１で一体化することにより、上記実施例１と同じように光の反射作用をプリズムで代替することもできる。
【図１】
0005507138.tif 000002
【図２】
0005507138.tif 000003
【図３】
0005507138.tif 000004
【図４】
0005507138.tif 000005
【図５】
0005507138.tif 000006